(57)【要約】      （修正有）【課題】天井吊下げ構造である防煙垂壁が、壁・柱面との取合いに於いて、地震時の免震性能に優れ、火災時要求される、不燃材仕様の防煙垂壁を提供する。【解決手段】天井の軽天部材に連結して取付いている防煙垂壁の上部レールＲを、壁・柱の手前５０〜１００ｍｍ程度離れた位置で止めて、地震の際、壁・柱との接点で生じる押し合う応力の発生を食い止める。次に、区画内の煙移動を阻止する性能と、地震時、硝子の破損・損壊による２次災害を抑える為、壁・柱との間に、変形追従用衝撃吸収を目的とした、ケイカル板Ｋ（壁・柱と硝子Ｇ間の変位応力をケイカル板で吸収して硝子Ｇに伝えない役目）と不燃シート製免震壁面方立ＦＭ（面内変位時揺れに依る部材の損傷及び、多少の面外変位を吸収する役目）で構成された構造物を取付ける。尚、これらの構成材は全て不燃仕様の材料で構成されている。【選択図】図８
0003172946.tif 000002
【実用新案登録請求の範囲】
【請求項１】
上部レールを壁・柱面より５０〜１００ｍｍ離れた所で止めて取付ける。
【請求項２】
レール端部より、３０〜５０ｍｍ手前で、硝子と変形追従用衝撃吸収部であるケイカル板と不燃シート製免震壁面受けの構成部材を連結して吊下げる。
【請求項３】
壁・柱取合い部との緩衝部に、難燃性のシリコンガスケット及び塩ビ製ガスケット等は使用せず、不燃性シートである、グラスファイバーシートを使用しており、下部フレームとの結合部に両面テープが予め貼られている構造の為、養生を剥がしたら、簡単に下部フレームに貼りつく。（図３及び図４参照）
尚、この不燃シート製免震壁面方立は、通常の仕様の防煙垂壁にも使用出来る。
【考案の詳細な説明】
【技術分野】
【０００１】本考案は、硝子仕様防煙垂壁の免震及び不燃性仕様に関する。
【背景の技術】
【０００２】従来、建築基準法により所定以上の床面積を有する建築物には、天井より垂れ壁を設けて、火災の際、煙の移動を阻止する為に防煙垂壁を設ける用義務付けられている。
そこで、この防煙垂壁で煙移動阻止の役目をする垂れ壁部には、不燃材である、硝子ケイカル板・透明グラスファイバーシート等が用いられている。
【０００３】硝子仕様の防煙垂壁は、地震発生時、面内及び面外層間変位（図１の矢印ア・イで示す方向）に依る揺れにより、壁面及び柱面取合い部の硝子が破損・損壊し、落下災害を招く可能性が大きい。
【０００４】今迄は、壁面取合い部に難燃性のガスケト等を使用した免震方立（図２ＭＧ）を取付けて、地震の揺れを吸収する方法が最善の策であった。
【０００５】東日本大震災の様な激震地震時の、硝子仕様防煙垂壁の損壊状況の特徴を纏めると、地震に依る揺れは、免震方立許容以上の面外層間変位（図１矢印イ）を来し、壁・柱面に硝子が衝突し破損・損壊した。
【０００６】防煙垂壁の構成材である、上部レール（図１Ｒ）は地震時の、面外層間変位（図１矢印イ）に依り、壁・柱面とかなりの応力で押し合い、硝子及び防煙垂壁の構成部材に悪影響を及ぼした。
【先行技術文献】
【０００７】
【特許文献】
【特許文献】登録実用新案第３０４５５９０号
【非特許文献】
【０００８】
【非特許文献１】（株）ミヨシ製Ｍ式ツリコ
【考案の概要】
【考案が解決しようとする課題】
【０００９】天井吊下げ構造物である防煙垂壁が、壁・柱面との取合いに於いて、地震時の免震性能に優れ、火災時要求される、不燃材仕様の防煙垂壁を開発する事にある。
【課題を解決するための手段】
【００１０】以上の目的を達成する為に、まず、上部レール（Ｒ）を図３で示す様に、壁・柱面より５０〜１００ｍｍ程度離れた位置で止めた状態で取付ける。【００１１】次に、図３で示す様に、上部レール（Ｒ）の端部より、３０〜５０ｍｍ程度手前の位置で硝子を切断し、ケイカル板（ｋ）と不燃シート製免震壁面方立（ＦＭ）を壁・柱との間に取付けて、変形追従用衝撃吸収部を設け、揺れに依る応力が出来るだけ硝子に伝わらなくして、硝子の破損・損壊を防止する。但し、変形追従用衝撃吸収部の構成材は全て不燃材を使用する。
【考案の効果】
【００１２】地震及び火災時要求される、免震及び不燃機能の防煙垂壁。
【図面の簡単な説明】
【００１３】
【図１】一般の防煙垂壁の正面図に揺れの方向を加えた図
【図２】一般の防煙垂壁に免震型ガスケットを取付けた時の正面図
【図３】本考案の一実施例を示す不燃シート製免震壁方立
【図４】本考案の一実施例を示す一部正面図
【図５】本考案の一実施例を示す天井面から垂直方向の硝子部断面図
【図６】本考案の一実施例を示す天井面から垂直方向の変形追従用衝撃吸収断面図
【図７】本考案の一実施例を示す端部及び中間ジョイントの天井と平行方向の断面図
【図８】本考案の一実施例を示す納まり図
【符号の説明】
【００１４】ＳＷ    壁面
Ｗ      野縁
ＷＵ    野縁受け
ＳＢ    天井ボード
Ｈ      レール吊上げ金物
Ｒ      上部レール
Ｓ      シーリング
ＴＢ    吊下げボルト
ＮＰ    プレート
Ｊ      連用受け
ＦＭ    不燃シート製免震壁面方立
ＧＦ    グラスファイバーシート
ＡＦ    アルミフレーム
ＲＴ    両面テープ
ＭＧ    免震方立
Ｆ      フレーム
Ｇ      硝子
Ｋ      ケイカル板
【考案を実施する為の形態】
【００１５】以下、図面と共に本考案の一実施例を図面に従って説明する。まず、上部レール（Ｒ）を、通常の防煙垂壁の取付要領通りに取付けるが、今回は壁・柱面との間に変形追従の衝撃吸収部を確保する為、壁・柱面より５０〜１００ｍｍ手前で止まる様取付ける。
【００１６】硝子部は、上部レール（Ｒ）の端部より３０〜５０ｍｍの位置で、硝子（Ｇ）を切断して、プレート（ＮＰ）吊下げボルト（ＴＢ）連用受け（Ｊ）を使用して吊下げる。
【００１７】次に、硝子端部から壁・柱面の間に、ケイカル板（Ｋ）不燃シート製免震壁面方立（ＦＭ）を差し込む。この際ケイカル板（Ｋ）と不燃シート製免震壁面方立（ＦＭ）はシリコン接着して取付ける。
【００１８】最後にフレーム（Ｆ）を取付るが、その際、フレーム（Ｆ）と交わる、不燃シート製免震壁面方立（ＦＭ）の下端部の両面テープの養生を剥がして、フレーム（Ｆ）に貼り付けて終了。
【図１】
0003172946.tif 000003
【図２】
0003172946.tif 000004
【図３】
0003172946.tif 000005
【図４】
0003172946.tif 000006
【図５】
0003172946.tif 000007
【図６】
0003172946.tif 000008
【図７】
0003172946.tif 000009
【図８】
0003172946.tif 000010
【手続補正書】
【提出日】平成23年10月19日(2011.10.19)
【手続補正１】
【補正対象書類名】実用新案登録請求の範囲
【補正対象項目名】全文
【補正方法】変更
【補正の内容】
【実用新案登録請求の範囲】
【請求項１】
柱・壁取合い部不燃材仕様衝撃吸収型防煙垂壁において
（１）上部レールを、柱・壁面より５０〜１００ｍｍ離して取付けた構造。
（２）上部レール端部より、３０〜５０ｍｍ手前で硝子と変形追従用衝撃吸収部であるケイカル板に、１本の吊下げボルトと連用受けで固定して且つ、硝子・ケイカル板の下部を１本のフレームを取付けた構造。
（３）柱・壁面部との緩衝部には、不燃性のグラスファイバーシートと、コの字のアルミで構成した不燃シート製免震壁面方立を取付けた構造。
以上からなる防煙垂壁。